(57)【要約】  本発明は、セルロース・パルプを洗浄するためのあらゆるタイプの空気ディフューザに適した洗浄ノズル組立体に関する。ノズル組立体は、好ましくはノズルの後縁に位置付けられている、洗浄流を制御するオリフィス・プレート又は別のオリフィス組立体を有するノズルを備える。
2021527174.tif 000002
【特許請求の範囲】
【請求項１】
セルロース・パルプを洗浄するための空気ディフューザの洗浄液導入ノズル組立体であって、前記組立体は細長いノズルを備え、前記ノズルの壁は、前記ノズルから液体を送達するためのオリフィス・プレートを備えるオリフィス組立体が配置されている、細長い開口部を有する、洗浄液導入ノズル組立体。
【請求項２】
前記オリフィス・プレートは、前記ノズルからパルプ内に所定の流量の前記洗浄液を導入するための開口面積を有する、請求項１に記載の洗浄ノズル組立体。
【請求項３】
前記ノズルは前記ノズルの壁に、前記オリフィス・プレートを固定するための溝を有する、請求項１又は２に記載の洗浄ノズル組立体。
【請求項４】
前記オリフィス組立体は、５〜３５ｍｍ、好ましくは８〜２０ｍｍの直径を有する複数の穴と、リップ型逆止デバイスと、を有するオリフィス・プレートを備える、請求項１、２、又は３に記載の洗浄ノズル組立体。
【請求項５】
前記オリフィス組立体は、必要とされる洗浄流にとって十分なサイズを有する１つ又は複数のスロットと、リップ型逆止デバイスと、を有するオリフィス・プレートを備える、請求項１、２、又は３に記載の洗浄ノズル組立体。
【請求項６】
前記オリフィス・プレートは、０．４〜５ｍｍ、典型的には１〜２ｍｍの直径を有する複数の穴を有する穿孔プレートで形成されている、請求項１、２、又は３に記載の洗浄ノズル組立体。
【請求項７】
前記オリフィス組立体は複数の逆止弁を有するオリフィス・プレートを備える、請求項１、２、又は３に記載の洗浄ノズル組立体。
【請求項８】
前記ノズルは前縁、後縁、及び側縁を有し、前記オリフィス・プレートは前記ノズルの前記後縁に位置付けられている、請求項１から７までのいずれか一項に記載の洗浄ノズル組立体。
【請求項９】
前記ノズルは前縁、後縁、及び側縁を有し、前記オリフィス・プレートは前記ノズルの前記前縁に位置付けられている、請求項１から７までのいずれか一項に記載の洗浄ノズル組立体。
【請求項１０】
前記ノズルは前縁、後縁、及び側縁を有し、前記オリフィス・プレートは前記ノズルの前記側縁に位置付けられている、請求項１から７までのいずれか一項に記載の洗浄ノズル組立体。
【請求項１１】
前記ノズルは前記空気ディフューザの任意の洗浄段用のノズルである、請求項１から１０までのいずれか一項に記載の洗浄ノズル組立体。
【発明の詳細な説明】
【技術分野】
【０００１】
本発明は、パルプ工場での化学セルロース・パルプの製造においてセルロース・パルプを洗浄するための、空気ディフューザ洗浄機における、洗浄ノズル組立体に関する。本発明に係る洗浄ノズル組立体は、ブラウン・ストックの洗浄、酸素脱リグニン、及びパルプ漂白に使用される、あらゆるタイプの空気ディフューザに適用できる。
【背景技術】
【０００２】
以下の説明では、連続蒸解缶に後続する、２段式のブラウン・ストック空気ディフューザを想定している。蒸解缶の圧力を使用して、パルプをブロー・ラインを通して２段式拡散洗浄機内へとブローする。ディフューザ・タンクの円錐形セクションは、上昇するストックをディフューザにわたって均等に分配できるように設計されている。ディフューザ・タンクの内部には、共通の垂直軸線を中心として同心のスクリーン・リングが配置されている。スクリーン・リングの下側の列は第１の洗浄段を形成し、上側の列は第２の段を構成する。各洗浄段は、等間隔に置かれたスクリーン・リングから成る。各スクリーン・リング間には１〜２個の洗浄ノズルが存在し、これらは回転して、洗浄水又は洗浄溶液をスクリーン・リング同士の間にあるパルプ内へと供給する。各スクリーン・リングは、約５０〜６０ｍｍ離間させた２つのスクリーン・プレートから成る。
【０００３】
１列あたりのリングの数及びそれらの高さは、ディフューザの設計製作及びストック排出特性に応じて決まる。第１の段と第２の段の間に位置付けられた３本、４本、又は６本のアームが、スクリーン組立体を支持し、スクリーンから抽出されたろ液を輸送する役割を果たす。
【０００４】
これらのアームはディフューザの中心からタンクの外壁まで放射状に延び、そこにおいて液圧シリンダに結合されている垂直方向のタイ・ロッドで支持される。これらのシリンダによって、スクリーン組立体に垂直方向のストローク・サイクルが与えられる。上昇ストロークの速さは、パルプ塊の上昇流速度よりも僅かに速くなるように調節される。ディフューザは、そのストロークの頂点にしばらくの間保持され、その後、繊維からスクリーンを清掃するために、急速に下降ストロークする（約１秒）。この頂部での遅延及び下降ストロークの間、抽出流は遮断され洗浄流は減少する。
【０００５】
濃度約１０％のパルプがスクリーン・リング同士の間を上向きに流れる際に、清浄な洗浄ろ液がそれよりも汚れたろ液を置換し、このろ液はスクリーン及びアームを通してろ液タンクへと抽出される。第１の段の抽出された溶液は、コールド・ブロー・ポンプ又は先行する段の洗浄機へと圧送される。第２の段の抽出されたろ液はディフューザに戻され、第１の段の洗浄ろ液として使用される。第２の段での洗浄には、加熱された洗浄水（デッカーろ液、エバポレータ凝縮液、等）が使用される。各段の洗浄ろ液／水は、洗浄ノズルの後縁にある広いスロットを通ってディフューザに入る。第１の段及び第２の段の洗浄ノズルは、中空の中央シャフトと共に、スクリーン・リング同士の中心に位置する円形の経路内で回転する。スクリーン・リングが作り出したパルプ・セグメントの各々への、洗浄ろ液の流量は、洗浄ノズル内のオリフィス・プレートによって制御され、各リング同士の間のパルプの体積に比例する。第１の段の洗浄ノズルは、スクリーン・リングの下方に位置付けられた共通のアーム上に装着されている。このアームは中央シャフトに取り付けられている。中央シャフトは、洗浄ろ液を第１の段及び第２の段の両方へと輸送する役割を果たす。第２の段の洗浄ノズルは、スクリーン・リングの上方の頂部スクレーパ組立体に取り付けられている。
【０００６】
既存の洗浄ノズルに関する典型的な問題は以下の通りである。
【０００７】
（ｉ）ディフューザ・タンクから来てノズルに逆向きに進入する繊維によって、詰まった状態になる傾向。ノズルを通る洗浄ろ液の流速はかなり低く、繊維を遠ざけておくことができない。特に下側の洗浄ノズル（第１の洗浄段）は詰まりを起こし易い。これは、重力と、ノズルとノズル・アームの間にオリフィス・プレートが位置することとによる。この場合、洗浄ろ液の流れによってノズルへのパルプの進入を防止できなければ、これを妨げるものは何もない。詰まったノズルは十分な量の洗浄水を供給及び分配することができず、したがってディフューザの洗浄効率は著しく低下する。通常は、最も詰まりを起こし易いのは一番外側のノズルである。これは、回転するノズルが高速であり、水流がこのとき低速であればパルプがノズル内に吸い込まれる結果であり得る。下側のノズルが詰まる傾向は、ディフューザ・タンクは空になっていないが洗浄ろ液の供給が止まっている、短時間の供給停止の間にも観察される。
【０００８】
（ｉｉ）既存の洗浄ノズルは、その構造に起因して、洗浄液を分配する能力が限定されている。
【０００９】
（ｉｉｉ）詰まったノズルの洗浄作業は困難且つ時間がかかり、ディフューザのダウンタイムを延ばしその可用性を低下させる。
【発明の概要】
【課題を解決するための手段】
【００１０】
空気ディフューザ用の新規な洗浄ノズル組立体は、パルプ繊維がディフューザ・タンクからノズル内に入るのを防止するように開発されている。これは、ろ液又は水の所望の流量を調節するためのオリフィスが、ノズルからパルプ内へと洗浄液が放出されるまさにその箇所に、好ましくはノズルの後縁に位置付けられるように、配置されている。オリフィス・プレート／オリフィス組立体はまた、洗浄液をパルプ塊中に直接放出するように、ノズル上のそれ以外の場所に位置付けられてもよい。
【００１１】
本発明に係るノズル組立体は、独立請求項の特徴によって特徴付けられる。
【００１２】
液体がスクリーン・ユニット及びスクリーン領域の全高に分散され得るため、この新しいタイプのノズルによってパルプ内への洗浄液分配がこれまでよりも著しく均等になり、この結果、置換がより効率的になる。このことは洗浄結果の改善を意味する。
【００１３】
空気ディフューザの洗浄段は、等間隔に置かれ共通の垂直軸線を中心に配置された、スクリーン・リングから成る。洗浄ノズルはスクリーン・リング同士の間に配置されており、ノズルはスクリーン・リング同士の間にあるパルプ内に洗浄液を均等に供給するようになっている。ノズルの断面は典型的には、垂直方向に細長い長楕円形である。このノズルは垂直方向に細長い出口開口部を有し、そこにはオリフィス・プレート又はオリフィス組立体が設けられている。ノズル壁の開口した縁部には、オリフィス・プレートをノズル本体に配設する又は取り付けるための、垂直方向の溝が設けられている。
【００１４】
垂直方向に細長いノズル本体は、第１の端部と第２の端部とを有する。第１の端部には、ノズルをディフューザ槽内のノズル・アームに取り付けるための、プレート状の延長部が設けられている。第１の端部は、ノズル・アームからノズル内部へと洗浄液を導くことができるように、開口している。オリフィス・プレートを備えた細長い開口部は、第１の端部からある距離のところで始まり、第２の端部まで延在し得る。細長い開口部の長さは、必要とされる液体流量に応じて決まる。
【００１５】
ノズルは回転する方向に移動し、したがって、前縁、後縁、及び側縁を有する。オリフィス・プレート／オリフィス組立体は、好ましくは後縁に位置付けられる。これはまた前縁に位置付けられてもよいが、その場合、ノズルに対向して流れるパルプがノズルからの液体の流出を妨げないように、前縁の手前に遮蔽要素が必要になる。遮蔽要素はＶ形状のプレートであり得る。別法として、オリフィス・プレート／オリフィス組立体はノズルの側縁に位置付けられてもよいが、この場合、遮蔽要素も必要に成る場合がある。
【００１６】
洗浄ノズル組立体は典型的には、ノズルと、リップ型逆止デバイスであり得る逆止デバイスを有しても有さなくてもよい、オリフィス・プレートと、を備える。１対のリップがオリフィスからパルプ内へと洗浄液の流れを放出するが、これは、洗浄水又は洗浄ろ液の圧力によってリップが開かれることによる。１対のリップはリップの可撓性に起因して、洗浄流が停止すると直ちに閉じられ、このことによりパルプがノズルに進入するのを防止する。
【００１７】
オリフィスは好ましくは、必要とされる流量にとって十分な開口面積を作り出すと共にこの小さい穴に起因してパルプ繊維がノズルに進入するのを防止する小さい穴を有する、穿孔プレート、又は、５〜３０ミリメートル（ｍｍ）、好ましくは８〜２０ｍｍの直径を有する、流量の調節のための特定数の穴と、繊維がノズルに進入するのを防止するためのリップ型逆止デバイスと、を有する、オリフィス・プレート、のいずれかである。穴のサイズ及び数は、所望の洗浄液流量に必要な開口面積に応じて決まる。
【００１８】
穿孔プレートは、０．４〜５ｍｍ、典型的には１〜２ｍｍの直径を有する、複数の小さい穴を有する。パルプは、液体の流出がなければ穿孔プレート上にマットを作り出す。この結果、ノズルへの繊維の進入が防止される。
【００１９】
オリフィス組立体は、相補的な形状の可撓性の不浸透性部材を備える、逆止デバイスを更に含み得る。典型的には、逆止デバイスは、向かい合って表面接触して配設されている１対のリップで形成され、パルプ内に洗浄液が導入されないときは貫通経路が存在しないようになっている。流入する液体がリップを分離させ、ノズルからオリフィス・プレートの穴を通ってパルプに至るそれらの間の流れを可能にすることになる。リップ同士の間の閉じた表面接触によって反対方向の流れが防止される。この結果、互いに接触するリップによって、それらの間を通って穴及びノズルの内部に向かう繊維の流れは妨げられるが、パルプに入る液体は、リップを分離させ、それらの間を流れることができる。
【００２０】
リップは典型的には硬化ステンレス鋼の薄いプレートで製作され、ねじ又は対応する固止手段でオリフィス・プレートに固定される。リップはまた、プラスチック又は別の可撓性の材料で製作されてもよい。
【００２１】
オリフィス・プレートは、特定の洗浄液流量にとって十分なサイズを有する、１つ又は複数のスロットを有してもよい。
【００２２】
洗浄ノズルはまた、オリフィス・プレートに取り付けられた複数の逆止弁を備えるオリフィス組立体を有してもよく、この弁は繊維がノズルに進入するのを防止する。逆止弁は市販の製品であっても、この新しいノズル用に用意されたものであってもよい。
【００２３】
洗浄ノズル壁は、オリフィス・プレート／オリフィス組立体用の、典型的には２つの、好ましくは垂直方向の溝と、前記プレート／組立体を所定位置に維持するための、ロック用プレート及びねじと、を有する。この新しい洗浄ノズル組立体によってより良好な洗浄結果が得られるが、その理由は、洗浄液がパルプへとより均等に分配され、汚れた溶液の置換が改善されるからである。
【００２４】
この新しい洗浄ノズル組立体は、ノズルの清掃及び交換時間を２つの点で大きく低減する。第１に、ディフューザ・タンクからのパルプによってノズルが詰まる可能性がないので、ノズルが長時間清浄に保たれる。第２に、オリフィス・プレート／オリフィス組立体はノズル本体から取り外し可能であり、したがってノズルから引き出すのが用意である。この結果、重いノズル全体を取り外すことなく、ノズルの可能な清掃を行うことができる。これらは必要なダウンタイムを減少させる大きな利点である。
【００２５】
この新しい洗浄ノズルはディフューザ洗浄機の全ての段において同様であり、下側及び上側のノズルとして機能する。これを１段式ディフューザとして使用することもできる。
【００２６】
この新しい洗浄ノズル組立体は、既存のノズルと交換することで、何ら変更することなくあらゆるタイプの既存のノズル・アームに対して設置可能である。
【００２７】
ノズルは空気ディフューザ内に配置されており、空気ディフューザは典型的には、垂直な中央シャフトを有する略直立した槽と、垂直な中央シャフトと同心に装着されている複数の環状スクリーンと、スクリーンから垂直方向に離されて装着されているアーム組立体と、を備える。アーム組立体は中央シャフトに接続され、このシャフトによって回転する。垂直方向に細長いノズルは、アーム組立体に接続されている。ノズルはシャフトによってスクリーン同士の間で回転方向に移動され、洗浄液をスクリーン同士の間のパルプ内に導入する。
【００２８】
以下では添付の図面を参照して本発明について更に詳細に記載する。
【図面の簡単な説明】
【００２９】
【図１】新しいノズル組立体を適用可能な、従来技術のノズル組立体を有する２段式空気ディフューザの側面図である。
【図２】新しいノズル組立体を適用可能な、２段式空気ディフューザのスクリーン及び従来技術のノズル組立体を示す詳細斜視図である。
【図３】従来技術の下側洗浄ノズルの実施例を示す図である。
【図４】従来技術の上側洗浄ノズルの実施例を示す図である。
【図５】従来技術のオリフィス・プレートを示す図である。
【図６】オリフィス・プレートがノズルとノズル・アームの間に位置付けられている、ノズル・アーム内に設置された知られている下側洗浄ノズル組立体を示す図である。
【図７】オリフィス・プレートとリップ型逆止デバイスとオリフィス組立体用の溝とを有する、新しい洗浄ノズルの好ましい実施例を示す図である。
【図８】オリフィス・プレートとリップ型逆止デバイスとオリフィス組立体用の溝とを有する、新しい洗浄ノズルの好ましい実施例を示す図である。
【図９】途中まで引き出された新しい洗浄ノズルのオリフィス／リップ組立体の実施例を示す図である。
【図１０】新しい洗浄ノズルのオリフィス／リップ組立体並びにオリフィスの穴及びリップの封止部を通したパルプへの洗浄液の分配の、詳細断面図である。
【図１１】新しい洗浄ノズルのオリフィス／リップ組立体の断面図である。
【図１２】穿孔されたオリフィス・プレートを有する新しい洗浄ノズルの実施例を示す図である。
【図１３】逆止弁オリフィス・プレート組立体を有する新しい洗浄ノズルの実施例を示す図である。
【図１４】逆止弁オリフィス・プレート組立体を有する新しい洗浄ノズルの実施例を示す図である。
【図１５】知られている洗浄ノズル組立体と新しい洗浄ノズル組立体の洗浄液分配の比較を示す図である。
【発明を実施するための形態】
【００３０】
図１は、本発明を適用可能な例示的な空気ディフューザを示す。ディフューザは全体に参照符号１で示されている。ディフューザ１の従来の構成要素は、底部にパルプ入口３を及び頂部にパルプ出口４を有する、略直立した槽を含む。槽内には、槽の中央垂直軸線を画定する中央シャフト９から放射方向外向きに延在する、抽出アーム１７（図２）が装着されている。シャフトの端部は従来型の駆動装置１５に接続されている。抽出アームからの置換されたろ液の出口は、７及び８に設けられている。第１の出口７は第２の段のろ液用であり、第２の出口８は第１の段のろ液用である。抽出アーム１７の上下の往復運動を行わせるために、液圧シリンダ１４、又は類似の機構が設けられている。この往復運動は本質的には、パルプ流の移動の方向１９においてはパルプの流速で、またパルプ流の方向とは反対方向においては遥かに高い速さで行われる、これは従来通りである。参照番号１８で逆流タンクが、及び参照番号１６でろ液タンクが、示されている。
【００３１】
抽出アーム１７上には複数の環状スクリーンが、例えば、アーム１７から上向き及び下向きに延在する第１及び第２のスクリーン２（図１及び図２）が、装着されている。スクリーン２の上方には上側のアーム組立体１０が配設されている。アーム組立体１０が接続されているシャフト９は、駆動端部に接続されたモータによって、アーム組立体１０が図２において矢印１９で示す第１の回転方向に回転するように駆動される。アーム組立体１０には複数の処理流体導入ノズル１１が接続されており、これらは垂直方向に細長く、スクリーン２同士の間に配設されている。ノズル１１の断面２２（図４を参照）は典型的には長楕円形であり、アーム組立体１０から離れたその第２の端部において、典型的にはノズル１１が回転方向１９に移動する際に後縁となるノズル１１の面に、少なくとも１つの流量導入開口部２３を画定する手段を有する。
【００３２】
洗浄液はシャフト９の内部を回転するアーム１０まで延在する導管５（図１）からノズル１１に供給されるが、この処理液−典型的には洗浄液又は漂白液−は、アーム組立体１０を通りその後ノズル１１へと流れ、矢印５’が示すように開口部を通して導入されることになる。
【００３３】
図１及び図２に示す２段式ディフューザが提供される場合、第２の洗浄流体を導入するための第２の導管６が少なくとも設けられ、この液体はシャフト９内の導管を通って、液体ノズル１３が装着されているアーム組立体１２へと流れる。洗浄液６’を導入するためのノズル１３は、下部の環状スクリーン２の組と下側のスクリーン２の下方に位置付けられているアーム１２との間に配設されている。第１の段の洗浄ノズル１１及び第２の段の洗浄ノズル１３は、中空の中央シャフト９と共に、スクリーン・リング同士の中心に位置する円形の経路内で回転する。
【００３４】
第２の段での洗浄には、加熱された洗浄水（ろ液、エバポレータ凝縮液、等）が使用される。各段の洗浄ろ液／水は、洗浄ノズル１１、１３（図２）の後縁にある広いスロット２０を通ってディフューザに入る。スクリーン・リングが作り出したパルプ・セグメントの各々への、洗浄ろ液の流量は、洗浄ノズル内のオリフィス・プレートによって制御され、各リング同士の間のパルプの体積に比例する。
【００３５】
図３〜図５は、知られているノズルの詳細を示す。図３に示すように、下側のノズル１３の断面２２（図３）は、細長い長楕円形である。ノズルは第１の端部１３ａと第２の端部１３ｂとを有する。矢印５’が示すように、洗浄液は第１の端部を通ってノズルに流入し、第１の端部及び第２の端部から距離を置いて位置付けられているスロット２４を通って、ノズルから排出される。図４は、同じくその断面が細長い長楕円形である、上側のノズル１１を示し、これは第１の端部と第２の端部とを有する。洗浄液は、矢印６’が示すように、第１の端部を通ってノズルへと流入し、第２の端部に位置付けられていスロット２３を通って排出される。ノズルは、ノズルとアームの間にオリフィス・プレート２５が存在するように、ノズル・アームに取り付けられている。図５に示すように、オリフィス・プレート２５は穴２６を有し、この断面積は、ノズルを通過する所望の液体流量との関連において事前に決定される。このようにして、液体の流量が調節される。図６は、下側のノズル１３をアーム１２に取り付ける方法を示す。オリフィス・プレート２５はノズル１３とアーム１２の間に位置付けられており、このアームにノズルが取り付けられることになる。洗浄液６’はアーム１２からオリフィス・プレートの穴を通ってノズル１３へと流れる。ノズルの第１の端部には、取り付け用のプレート状の延長部２１が設けられている（図３、図４、及び図６）。上側のノズル１１は、対応する方法でアーム１０に接続されている。
【００３６】
知られている洗浄ノズルに関する問題は、それらが、ディフューザ・タンクから来てノズルに逆向きに進入する繊維によって、詰まった状態になる傾向を有することである。このことは、図７〜図１６に示す本発明に係るノズルを使用することによって回避できる。これらの図は２段式ディフューザの下側のノズルを示しているが、上側のノズルは同じ構成を有し得る。ノズル２７の断面は細長い長楕円形である。ノズル２７は垂直方向に細長い開口部３８を有し、開口部３８には、洗浄液をパルプ内へと導入するための複数の穴を有する、オリフィス・プレート２８が設けられている。穴の直径は５〜３５ミリメートル（ｍｍ）、好ましくは８〜２０ｍｍである。穴のサイズ及び数は、所望の洗浄液流量に必要な開口面積に応じて決まる。オリフィス組立体は、相補的な形状の可撓性の不浸透性部材を備える、逆止デバイス３０を更に含む。典型的には、逆止デバイスは、向かい合って表面接触して配設されている１対のリップで形成され、パルプ内に洗浄液が導入されないときは貫通経路が存在しないようになっている。流入する液体がリップ３５（図１０及び図１１）を分離させ、ノズルからオリフィス・プレートの穴を通ってパルプに至るそれらの間の流れを可能にすることになる。リップ同士の間の閉じた表面接触によって反対方向の流れが防止される。この結果、互いに接触するリップによって、それらの間を通って穴及びノズルの内部に向かう繊維の流れは妨げられるが、パルプに入る液体は、リップを分離させ、それらの間を流れることができる。
【００３７】
ノズル壁の開口した縁部には、オリフィス・プレート２８をノズル本体２７に配設する又は取り付けるための、垂直方向の溝３４が設けられている（図８）。リップ３０は、ねじ２９又は対応する固止手段で、オリフィス・プレートに取り付けられている。オリフィス・プレート組立体は、ロック用プレート３１及びロック用ねじ３２によって、所定位置にロックされる。
【００３８】
ノズル本体２７は、第１の端部２７ａと第２の端部２７ｂとを有する。第１の端部には、ノズルをノズル・アーム、例えば図１のアーム１２に取り付けるための、プレート状の延長部が設けられている。第１の端部は、ノズル・アームからノズル内部へと洗浄液を導くために開口している。オリフィス・プレート２８を備えた細長い開口部３８は、第１の端部２７ａからある距離のところで始まり、第２の端部２７ｂまで延在する。細長い開口部の長さは、必要とされる液体流量によっては、より短くてもよい。
【００３９】
図９は、途中まで引き出されたときのオリフィス・プレート／リップ組立体を示す。リップを有しても有さなくてもよいオリフィス・プレートは、それらを清掃又は新しいものと交換する何らかの必要があれば、ノズルから簡単に取り外すことができる。
【００４０】
図１０は、ノズルの後縁におけるオリフィス・プレート／リップ組立体の上面図を示す。オリフィス・プレートは、ノズル本体２７の壁にある溝の中に配設されている。洗浄液は矢印３３で示すように、オリフィス・プレートの穴２８を通り、更には２つの互いに対向するリップ３５の間から流れる。このようにして、図７に示すように、洗浄液はノズルの長さに沿ってパルプに均等に導入される。
【００４１】
図１１は、オリフィス組立体２８、３５がノズル２７の前縁に位置付けられている実施例を示す。ノズルには、Ｖ形状のプレート４０である遮蔽要素が設けられている。これは、プレートとノズルの間に間隙が存在するように、ノズルに取り付けられている。洗浄液は、矢印３３’で示すように、ノズルから間隙を通ってパルプ内へと流れる。遮蔽要素は、ノズルに対向して流れるパルプがノズルからの液体の流出を妨げないように、前縁の手前において必要であり得る。
【００４２】
図１２は、新しいノズルの別の実施例を示す。オリフィス・プレートは穿孔プレート３６である。プレートの穴は図７〜図１１の実施例の場合よりも小さく、それらの直径は０．４〜５ｍｍ、典型的には１〜２ｍｍであるが、所望の流量にとって十分な開口面積を作り出す。そのような小さい穴は、パルプ繊維がノズルに進入するのを防止する。
【００４３】
図１３及び図１４は、新しいノズル２７の更に別の実施例を示す。オリフィス・プレートには複数の逆止弁３７が設けられており、これらは洗浄液が一方向にのみ流れることを可能にする。このようにして、パルプ繊維が引き起こす何らかの詰まりが防止され得る。
【００４４】
図１５は、従来技術のノズル１３及び新しいノズル２７を使用することによる、ディフューザ・スクリーン２への洗浄液の分配を示す。新しいノズルは、スクリーン高さ３９及びスクリーン面積に沿って洗浄液３３をより均等に分配するが、知られているノズルは、洗浄液をより小さい面積に分配することしかできない。この新しいタイプのノズルによってパルプへの洗浄液分配がこれまでよりも著しく均等になり、この結果、パルプの置換洗浄がより効率的になる。このことにより洗浄結果が改善される。
【図１】
2021527174.tif 000003
【図２】
2021527174.tif 000004
【図３】
2021527174.tif 000005
【図４】
2021527174.tif 000006
【図５】
2021527174.tif 000007
【図６】
2021527174.tif 000008
【図７】
2021527174.tif 000009
【図８】
2021527174.tif 000010
【図９】
2021527174.tif 000011
【図１０】
2021527174.tif 000012
【図１１】
2021527174.tif 000013
【図１２】
2021527174.tif 000014
【図１３】
2021527174.tif 000015
【図１４】
2021527174.tif 000016
【図１５】
2021527174.tif 000017
【国際調査報告】
2021527174.tif 000018
2021527174.tif 000019